【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
広告主から先行入力検索ユーザ・インターフェースにおいてターゲット検索結果オブジェクトのランキングを高めるためのリクエストを受信する工程であって、前記先行入力検索ユーザ・インターフェースは複数の検索結果オブジェクトを含み、各検索結果オブジェクトはオンライン・システム上の前記先行入力検索ユーザ・インターフェースに対し提供される検索クエリのプレフィックスと部分的に一致する、前記工程と、
前記オンライン・システムのユーザから前記先行入力検索ユーザ・インターフェースにおいて検索クエリを受信する検索クエリ受信工程と、
前記検索クエリに基づき、検索結果として提示する前記オンライン・システムの複数の検索結果オブジェクトを決定する検索結果オブジェクト決定工程であって、受信される前記検索クエリのプレフィックスと前記複数の検索結果オブジェクトとをマッチさせることを含み、前記複数の検索結果オブジェクトは受信される前記リクエストの前記ターゲット検索結果オブジェクトを含む、前記工程と、
プロセッサが、要求するユーザに対する前記検索結果オブジェクトの関連性に基づき、前記複数の検索結果オブジェクトのランキングを決定する工程であって、前記ランキングの決定は受信した前記リクエストに基づき前記ターゲット検索結果オブジェクトの前記ランキングを高めることを含む、前記工程と、
前記複数の検索結果オブジェクトの前記ランキングに部分的に基づき、前記先行入力検索ユーザ・インターフェースにおいて前記ユーザに対する表示用に前記検索結果オブジェクトを提供する工程と、を備える方法。
【請求項２】
前記検索クエリ受信工程は、前記オンライン・システムによって提供される前記先行入力検索ユーザ・インターフェースにおいて入力されるテキストとして前記検索クエリを受信する工程を含む、請求項１に記載の方法。
【請求項３】
前記検索クエリ受信工程は、外部ウェブサイトから前記オンライン・システムによって受信される通信として前記検索クエリを受信する工程を含む、請求項１に記載の方法。
【請求項４】
前記検索結果オブジェクト決定工程は、
１つ以上のプレフィックス用語について受信される前記検索クエリのパースを行う工程と、
前記１つ以上のプレフィックス用語に基づき前記オンライン・システムにおける複数のオブジェクトを取り出す工程と、
前記複数のオブジェクトが、受信される前記リクエストにおける前記ターゲット検索結果オブジェクトを含むと決定する工程と、を含む請求項１に記載の方法。
【請求項５】
１つ以上の広告主から複数の広告要求を受信する工程であって、前記複数の広告要求の各広告要求は、先行入力検索結果オブジェクトのランキングにおいて高めるべきオンライン・システムにおけるオブジェクトを指定する工程と、
前記オンライン・システムにおける先行入力検索クエリ・ユーザ・インターフェースにおいて１以上の文字を受信する工程と、
前記先行入力検索クエリ・ユーザ・インターフェースにおいて受信された前記１以上の文字に基づき複数の先行入力検索結果オブジェクトを決定する工程と、
前記複数の先行入力検索結果オブジェクトのランキングを決定する工程と、
対応する広告要求における指定されるオブジェクトが、プレフィックス・マッチを用いて、前記先行入力検索クエリ・ユーザ・インターフェースにおいて受信された前記１以上の文字と一致すると決定する工程であって、決定された前記指定されるオブジェクトは前記オンライン・システムにおけるノードを表す、前記工程と、
前記対応する広告要求に基づき、決定された前記指定されるオブジェクトのランキングを高めるために前記複数の先行入力検索結果オブジェクトのランキングを修正するランキング修正工程と、を備える方法。
【請求項６】
前記ノードは、ユーザ、エンティティ、ページ、アプリケーション、コンセプト、および前記オンライン・システムのカスタム・グラフ・オブジェクトからなるグループから選択される、請求項５に記載の方法。
【請求項７】
前記複数の広告要求は、前記オンライン・システムに接続されている広告ネットワークを通じて受信される、請求項５に記載の方法。
【請求項８】
前記ランキング修正工程は、
前記対応する広告要求において、決定された前記指定されるオブジェクトの前記ランキングを高めるための入札額を取り出す工程と、
前記対応する広告要求から取り出された入札額に基づき前記複数の先行入力検索結果オブジェクトの修正されたランキングを決定する工程と、を含む、請求項５に記載の方法。
【請求項９】
前記ランキング修正工程は、
前記対応する広告要求において、前記複数の先行入力検索結果オブジェクトにおける１つのランキング位置のための入札額を取り出す工程と、
前記対応する広告要求における前記入札額が前記複数の先行入力検索結果オブジェクトにおける前記ランキング位置のための他の入札より大きいと判定する工程と、
前記複数の先行入力検索結果オブジェクトにおける前記ランキング位置のための前記入札額に基づき前記複数の先行入力検索結果オブジェクトの修正されたランキングを決定する工程と、を含む、請求項５に記載の方法。
【請求項１０】
受信された前記１以上の文字に応じた前記修正されたランキングにしたがって、前記先行入力検索クエリ・ユーザ・インターフェースにおける表示用に前記複数の先行入力検索結果オブジェクトと決定された前記指定されるオブジェクトを提供する工程をさらに備える、請求項５に記載の方法。
【請求項１１】
プロセッサに、
広告主から先行入力検索ユーザ・インターフェースにおいてターゲット検索結果オブジ
ェクトのランキングを高めるためのリクエストを受信する工程であって、前記先行入力検索ユーザ・インターフェースは複数の検索結果オブジェクトを含み、各検索結果オブジェクトはオンライン・システム上の前記先行入力検索ユーザ・インターフェースに対し提供される検索クエリのプレフィックスと部分的に一致する、前記工程と、
前記オンライン・システムのユーザから前記先行入力検索ユーザ・インターフェースにおいて検索クエリを受信する検索クエリ受信工程と、
前記検索クエリに基づき、検索結果として提示する前記オンライン・システムの複数の検索結果オブジェクトを決定する検索結果オブジェクト決定工程であって、受信される前記検索クエリのプレフィックスと前記複数の検索結果オブジェクトとをマッチさせることを含み、前記複数の検索結果オブジェクトは受信される前記リクエストの前記ターゲット検索結果オブジェクトを含む、前記工程と、
プロセッサが、要求するユーザに対する前記検索結果オブジェクトの関連性に基づき、前記複数の検索結果オブジェクトのランキングを決定する工程であって、前記ランキングの決定は受信した前記リクエストに基づき前記ターゲット検索結果オブジェクトの前記ランキングを高めることを含む、前記工程と、
前記複数の検索結果オブジェクトの前記ランキングに部分的に基づき、前記先行入力検索ユーザ・インターフェースにおいて前記ユーザに対する表示用に前記検索結果オブジェクトを提供する工程と、を実行させるためのプログラム。
【請求項１２】
前記検索クエリ受信工程は、前記オンライン・システムによって提供される前記先行入力検索ユーザ・インターフェースにおいて入力されるテキストとして前記検索クエリを受信する工程を含む、請求項１１に記載のプログラム。
【請求項１３】
前記検索クエリ受信工程は、外部ウェブサイトから前記オンライン・システムによって受信される通信として前記検索クエリを受信する工程を含む、請求項１１に記載のプログラム。
【請求項１４】
前記検索結果オブジェクト決定工程は、
１つ以上のプレフィックス用語について受信される前記検索クエリのパースを行う工程と、
前記１つ以上のプレフィックス用語に基づき前記オンライン・システムにおける複数のオブジェクトを取り出す工程と、
前記複数のオブジェクトが、受信される前記リクエストにおける前記ターゲット検索結果オブジェクトを含むと決定する工程と、を含む請求項１１に記載のプログラム。
【請求項１５】
対応する広告要求に基づき前記ターゲット検索結果のランキングを高めることは、
前記対応する広告要求において、決定された指定されるオブジェクトの前記ランキングを高めるための入札額を取り出す工程と、
前記対応する広告要求から取り出された入札額に基づき複数の先行入力検索結果オブジェクトの修正されたランキングを決定する工程と、を含む、請求項１１に記載のプログラム。
【請求項１６】
対応する広告要求に基づき前記ターゲット検索結果のランキングを高めることは、
前記対応する広告要求において、複数の先行入力検索結果オブジェクトにおける１つのランキング位置のための入札額を取り出す工程と、
前記対応する広告要求における前記入札額が前記複数の先行入力検索結果オブジェクトにおける前記ランキング位置のための他の入札より大きいと判定する工程と、
前記複数の先行入力検索結果オブジェクトにおける前記ランキング位置のための前記入札額に基づき前記複数の先行入力検索結果オブジェクトの修正されたランキングを決定する工程と、を含む、請求項１１に記載のプログラム。